(57)【要約】【課題】  簡単な構造で、電位差腐食を防ぐことができるスイッチ装置およびそれを備えた時計を提供する。【解決手段】  腕時計ケース１の貫通孔８にスライド可能に取り付けられる金属製の操作軸１０と、この操作軸１０の外端部に固着された硬質の合成樹脂製の固定部１１と、この固定部１１が嵌め込まれて操作軸１０に対して非接触状態で固定され、かつ操作軸１０と異なる金属で形成された釦頭部１２と、を備えている。従って、操作軸１０の外端部に固着された硬質の合成樹脂製の固定部１１を釦頭部１２の内部に嵌め込んだ構造であるから、構造が簡単で、かつ操作軸１０と釦頭部１２とが相互に接触することがないため、操作軸１０と釦頭部１２とが異なる金属で形成されていても、操作軸１０と釦頭部１２との電気的接触状態による電位差腐食を確実にかつ良好に防ぐことができる。【選択図】        図１
2019057467.tif 000002
【特許請求の範囲】
【請求項１】
ケースの貫通孔にスライド可能に取り付けられる金属製の操作軸と、
前記ケースの外部に位置する前記操作軸の外端部に固着された硬質の合成樹脂製の固定部と、
前記固定部が嵌め込まれて前記操作軸に対して非接触状態で固定され、かつ前記操作軸と異なる金属で形成された釦頭部と、
を備えていることを特徴とするスイッチ装置。
【請求項２】
請求項１に記載のスイッチ装置において、前記操作軸の金属と前記釦頭部の金属とは、電位が異なることを特徴とするスイッチ装置。
【請求項３】
請求項１または請求項２に記載のスイッチ装置において、前記釦頭部は、着色性の高い非鉄金属であることを特徴とするスイッチ装置。
【請求項４】
請求項１〜請求項３のいずれかに記載のスイッチ装置において、前記固定部の外周と前記釦頭部の内周面との一方に設けられた凸部と、前記固定部の外周と前記釦頭部の内周面との他方に設けられて前記凸部が係合する凹部と、を備えていることを特徴とするスイッチ装置。
【請求項５】
請求項１〜請求項４のいずれかに記載のスイッチ装置において、前記固定部の外端面には、前記釦頭部の内端面に圧接する複数の突起部が設けられていることを特徴とするスイッチ装置。
【請求項６】
請求項１〜請求項５のいずれかに記載されたスイッチ装置を備えていることを特徴とする時計。
【発明の詳細な説明】
【技術分野】
【０００１】
この発明は、腕時計などの電子機器に用いられるスイッチ装置およびそれを備えた時計に関する。
【背景技術】
【０００２】
例えば、腕時計のスイッチ装置においては、特許文献１に記載されているように、腕時計ケースの貫通孔に筒状部材を嵌め込んで固定し、この筒状部材に金属製の操作軸をスライド可能に挿入させ、この操作軸の外端部に緩衝部材を介して金属製の釦頭部を取り付けた構造のものが知られている。
【先行技術文献】
【特許文献】
【０００３】
【特許文献１】特開２０１５−１５２５５５号公報
【０００４】
この種のスイッチ装置では、緩衝部材が弾力性を有する合成樹脂で形成されているため、釦頭部が衝撃を受けて、緩衝部材が弾性変形することにより衝撃を緩衝する際に、緩衝部材の弾性変形に伴って釦頭部を操作軸に対して軸方向に変位させる必要がある。
【０００５】
このため、このスイッチ装置は、操作軸の外周面に鍔部を設け、釦頭部の内周面に鍔部がスライド可能に係合する凹部を設け、操作軸の鍔部を釦頭部の凹部に係合させることにより、釦頭部が操作軸から抜け出すことなく、釦頭部を操作軸に対して軸方向に変位させる構造になっている。
【発明の概要】
【発明が解決しようとする課題】
【０００６】
しかしながら、このようなスイッチ装置では、釦頭部を操作軸に対して軸方向に変位させるために、操作軸の外周面に設けられた鍔部を釦頭部の内周面に設けられた凹部にスライド可能に係合させる構造であるから、構造が複雑になるという問題がある。
【０００７】
また、このスイッチ装置では、操作軸の鍔部と釦頭部の凹部とが接触し易いため、操作軸と釦頭部とが異なる金属で形成されていると、操作軸と釦頭部とが接触した際に、電気的接触状態による電池作用によって電位差腐食が発生し易いという問題がある。
【０００８】
この発明が解決しようとする課題は、簡単な構造で、電位差腐食を防ぐことができるスイッチ装置およびそれを備えた時計を提供することである。
【課題を解決するための手段】
【０００９】
この発明は、ケースの貫通孔にスライド可能に取り付けられる金属製の操作軸と、前記ケースの外部に位置する前記操作軸の外端部に固着された硬質の合成樹脂製の固定部と、前記固定部が嵌め込まれて前記操作軸に対して非接触状態で固定され、かつ前記操作軸と異なる金属で形成された釦頭部と、を備えていることを特徴とするスイッチ装置である。
【発明の効果】
【００１０】
この発明によれば、簡単な構造で、電位差腐食を防ぐことができる。
【図面の簡単な説明】
【００１１】
【図１】この発明を腕時計に適用した一実施形態を示した要部の拡大断面図である。
【図２】図１に示された腕時計のスイッチ装置において、操作部を分解して示した拡大側面図である。
【図３】図２に示された操作部のＡ−Ａ矢視における要部の拡大断面図である。
【図４】図２に示された操作部のＢ−Ｂ矢視における拡大断面図である。
【図５】図３に示された固定部の第１変形例を示し、（ａ）はその拡大正面図、（ｂ）は（ａ）のＣ−Ｃ矢視における拡大断面図である。
【図６】図４に示された釦頭部の第２変形例を示した拡大断面図である。
【発明を実施するための形態】
【００１２】
以下、図１〜図４を参照して、この発明を腕時計に適用した一実施形態について説明する。
この腕時計は、図１に示すように、腕時計ケース１を備えている。この腕時計ケース１は、硬質の合成樹脂で形成され、内部に金属製の補強部１ａが埋め込まれた構造になっている。
【００１３】
この腕時計ケース１の上部開口部には、図１に示すように、時計ガラス２がガラスパッキン２ａを介して取り付けられている。この場合、時計ガラス２の下側には、見切り部材３が配置されている。また、この腕時計ケース１の下部には、裏蓋４が防水パッキン４ａを介して取り付けられている。この腕時計ケース１の内部には、時計モジュール５が設けられている。
【００１４】
この腕時計ケース１の側部には、図１に示すように、スイッチ装置６が設けられている。このスイッチ装置６は、時刻修正や時計モジュール５のモード切替などを行うためのものである。このスイッチ装置６は、操作部７を備え、腕時計ケース１の側部に設けられた貫通孔８に取り付けられるように構成されている。
【００１５】
この場合、貫通孔８は、図１に示すように、腕時計ケース１の内部と外部とに貫通して設けられている。この貫通孔８は、小径孔部８ａと中径孔部８ｂと大径孔部８ｃとを備えている。小径孔部８ａは、その軸方向の長さが腕時計ケース１の側部の厚みのほぼ半分の長さで、腕時計ケース１の内部側に設けられている。
【００１６】
中径孔部８ｂは、図１に示すように、その内径が小径孔部８ａの内径よりも大きく、かつ軸方向の長さが小径孔部８ａの長さのほぼ半分の長さで、腕時計ケース１の側部内のほぼ中間部に設けられている。大径孔部８ｃは、座ぐり部であり、腕時計ケース１の外部側に設けられている。
【００１７】
すなわち、この大径孔部８ｃは、図１に示すように、その内径が中径孔部８ｂの内径よりも大きく、かつ時計モジュール５の厚みとほぼ同じ大きさ、つまり見切り部材３と裏蓋４との間の長さとほぼ同じ大きさに形成されている。また、この大径孔部８ｃは、軸方向の長さが小径孔部８ａの長さのほぼ半分の長さ、つまり中径孔部８ｂの長さとほぼ同じ長さに形成されている。
【００１８】
ところで、操作部７は、図１および図２に示すように、腕時計ケース１の貫通孔８にスライド可能でかつ回転可能な状態で挿入される操作軸１０と、この操作軸１０の外部側に固定された固定部１１と、この固定部１１が嵌め込まれて固定される釦頭部１２と、この釦頭部１２を腕時計ケース１の外部に向けて押し出す方向に付勢するばね部１３と、を備えている。この場合、操作軸１０と釦頭部１２とは、互いに異なる金属で形成されている。
【００１９】
操作軸１０は、図１および図２に示すように、イオン化傾向の低い金属、例えばステンレスや炭素鋼などの金属で、丸棒状に形成されている。この操作軸１０は、その外径が貫通孔８の小径孔部８ａの内径とほぼ同じ大きさで、軸方向の長さが貫通孔８の長さよりも長く形成されている。これにより、操作軸１０は、一端部が腕時計ケース１の内部に突出し、他端部が腕時計ケース１の外部に突出する。
【００２０】
この場合、操作軸１０の一端部である内端部には、図１および図２に示すように、取付溝１０ａがリング状に設けられている。この取付溝１０ａには、Ｅリングなどの抜止め部材１４が腕時計ケース１内において取り付けられている。これにより、操作軸１０は、抜止め部材１４が腕時計ケース１の内周面に接離可能に当接することにより、腕時計ケース１の外部に抜け出さないように構成されている。
【００２１】
また、この操作軸１０は、図１に示すように、その外周面が貫通孔８の小径孔部８ａの内周面に埋め込まれた防水リング１５の内周面に圧接した状態で摺動するように構成されている。これにより、操作軸１０は、その外周面と貫通孔８の小径孔部８ａの内周面との間の防水が図られている。さらに、この操作軸１０の外端部には、抜け止め用の鍔部１０ｂが設けられている。この鍔部１０ｂは、非円形状、例えばほぼ四角形に形成されている。
【００２２】
一方、固定部１１は、図１〜図３に示すように、硬質の合成樹脂、例えば、ＡＢＳ樹脂、ポリアセタール（ＰＯＭ）、ポリアミド（ＰＡ）、ポリカーボネート（ＰＣ）などの剛性の高い合成樹脂によって、ほぼ円筒状に形成されている。すなわち、この固定部１１は、その外径が貫通孔８の中径孔部８ｂの内径よりも大きく、かつ大径孔部８ｃの内径よりも小さい大きさで、インサート成型によって操作軸１０の外端部に鍔部１０ｂを覆った状態で一体に固着される。
【００２３】
これにより、固定部１１は、図１〜図３に示すように、操作軸１０の鍔部１０ｂによって操作軸１０に対して軸方向に位置ずれを起こすことがなく、かつ鍔部１０ｂが非円形状に形成されていることにより、操作軸１０に対して回転することがなく、操作軸１０と一体に軸方向に移動すると共に回転するように構成されている。
【００２４】
この場合、固定部１１は、図１〜図３に示すように、その軸方向の長さが貫通孔８の小径孔部８ａと中径孔部８ｂとの長さとほぼ同じ長さに形成されている。また、この固定部１１は、腕時計ケース１の外部側に位置する内側部に円形状の孔部１１ａが設けられている。この孔部１１ａは、その内径が貫通孔８の中径孔部８ｂの内径とほぼ同じ大きさで、軸方向の長さが固定部１１の軸方向の長さのほぼ半分の長さで形成されている。
【００２５】
また、この固定部１１は、図１〜図３に示すように、その軸方向における中間部に位置する外周面に凸部１６が環状に設けられている。この凸部１６は、腕時計ケース１の内部側に位置する端部が平板状に突出し、腕時計ケース１の外部側が緩やかに傾斜する形状に形成されている。この場合、凸部１６は、固定部１１の外周面から突出する突出長さが短く（低く）形成されている。
【００２６】
釦頭部１２は、図１〜図４に示すように、操作軸１０と異なる金属、つまり操作軸１０と電位が異なる金属であり、イオン化傾向の高い金属、例えばアルミニウム合金を含むアルミニウム系の金属、マグネシウム合金をマグネシウム系の金属、銅合金を含む銅系の金属などの非鉄金属で、ほぼ円筒状に形成されている。この場合、釦頭部１２は、着色性の高いアルミニウムで形成されていることが望ましい。
【００２７】
この釦頭部１２は、図１〜図４に示すように、その内径が固定部１１の外径と同じ大きさで、内部の軸方向の長さが固定部１１の軸方向の長さと同じ長さに形成されている。また、この釦頭部１２は、その外径が貫通孔８の大径孔部８ｃの内径よりも少し小さく、軸方向の長さが固定部１１の軸方向の長さよりも長く形成されている。
【００２８】
これにより、釦頭部１２は、図１〜図４に示すように、その内部に固定部１１が嵌め込まれた際に、固定部１１の外周面が釦頭部１２の内周面に密着し、固定部１１の外端面が釦頭部１２の内端面に密着するように構成されている。また、この釦頭部１２は、操作軸１０に固着された固定部１１が釦頭部１２の内部に嵌着された際に、操作軸１０に接触することなく、操作軸１０に対して取り付けられている。
【００２９】
この場合、釦頭部１２は、図１〜図４に示すように、その内周面に固定部１１の凸部１６が係合する凹部１７が環状に設けられている。この凹部１７は、断面形状が凸部１６と同じ形状の溝状に形成されている。この釦頭部１２は、その内部に固定部１１が嵌め込まれる際に、固定部１１の凸部１６が釦突部１２の内周面に圧接しながら挿入して、釦頭部１２の内周面の凹部１７に固定部１１の凸部１６が係合するように構成されている。
【００３０】
これにより、釦頭部１２は、図１〜図４に示すように、その内部に固定部１１が嵌め込まれて、釦頭部１２の内周面の凹部１７に固定部１１の凸部１６が係合した際に、釦突部１２の内周面に対する固定部１１の凸部１６の圧接力が解除されることにより、釦頭部１２に対する固定部１１の凸部１６による負荷がクリアされ、この状態で固定部１１から釦頭部１２が抜け出さないように構成されている。
【００３１】
また、この釦頭部１２は、図１〜図４に示すように、外端面に装飾部１８が設けられている。この装飾部１８は、デザイン性を高めるための凹凸による模様であり、例えば高さの低い四角錐を縦横に複数配列させることにより、デザイン性が高められるほか、釦頭部１２を指で操作する際に、指の滑りを防ぐように構成されている。
【００３２】
ところで、この釦頭部１２は、図１〜図４に示すように、操作軸１０に対して非接触状態で取り付けられていることにより、操作軸１０との間で電位差腐食が起きないように構成されている。すなわち、電位差腐食とは、イオン化傾向の低いステンレスなどの金属がイオン化傾向の高いアルミニウムなどの金属を侵食することであり、ステンレス製の操作軸１０がアルミニウム製の釦頭部１２に電気的接触状態になった際に、電位差によって電池作用が起き、この電池作用によってアルミニウム製の釦頭部１２が腐食を起こす現象である。
【００３３】
また、この釦頭部１２は、イオン化傾向の高いアルミニウムで形成されていることにより、表面をアルマイト処理することが可能となり、このアルマイト処理によって表面に硬質の酸化被膜が形成されると共に、この酸化被膜を染料によって着色することが可能になる。このため、この釦頭部１２は、カラー展開（カラー化）が可能になり、高級感が得られ、かつデザイン性が高められる。
【００３４】
一方、ばね部１３は、図１に示すように、操作軸１０の外周に配置されるコイルばねであり、一端部が貫通孔８の中径孔部８ｂ内に配置され、他端部が固定部１１の孔部１１ａ内に配置されている。この場合、ばね部１３は、他端部が固定部１１の孔部１１ａ内に配置されていることにより、釦頭部１２に接触することがない。このため、ばね部１３は、釦頭部１２と異なる金属で形成しても、電位差腐食が起こらない。
【００３５】
また、このばね部１３は、図１に示すように、操作軸１０の外周に配置されていることにより、操作軸１０に接触する場合がある。このため、ばね部１３は、操作軸１０との間で電気的接触状態による電位差腐食を防ぐために、操作軸１０と同じ金属で形成されていることが望ましい。
【００３６】
これにより、ばね部１３は、図１に示すように、そのばね力によって操作軸１０の内端部に取り付けられた抜止め部材１４を腕時計ケース１の内面に押し当て、この状態で固定部１１を腕時計ケース１の外部に向けて押し出すことにより、釦頭部１２を腕時計ケース１の外部に向けて押し出す方向に付勢するように構成されている。
【００３７】
この場合、操作軸１０は、図１に示すように、ばね部１３のばね力に抗して釦頭部１２が押された際に、操作軸１０が釦頭部１２と共に腕時計ケース１の内部に向けてスライドし、操作軸１０の内端部が時計モジュール５に設けられたスイッチ部５ａを押圧してスイッチ動作させるように構成されている。
【００３８】
次に、このような腕時計のスイッチ装置６の作用について説明する。
このスイッチ装置６を組み立てる際には、まず、操作部７を組み立てる。このときには、予め、操作軸１０に固定部１１をインサート成型によって一体に形成して、操作軸１０の鍔部１０ｂを固定部１１が覆った状態で、操作軸１０の外端部に固定部１１を固着する。
【００３９】
これにより、固定部１１は、操作軸１０の鍔部１０ｂによって軸方向に位置ずれを起こすことがなく、かつ鍔部１０ｂが非円形状に形成されていることにより、操作軸１０に対して回転することがなく、操作軸１０と一体に軸方向に移動すると共に回転する状態で、操作軸１０に固定される。
【００４０】
この状態で、固定部１１を釦頭部１２の内部に嵌め込んで、固定部１１に釦頭部１２を取り付ける。このときには、釦頭部１２の内部に固定部１１を嵌め込む際に、固定部１１の外周面に凸部１６が設けられているため、この固定部１１の凸部１６を釦頭部１２の内周面に圧接させながら挿入させて、釦頭部１２の内周面の凹部１７に固定部１１の凸部１６を係合させる。すると、釦突部１２の内周面に対する固定部１１の凸部１６の圧接力が解除される。
【００４１】
このため、釦頭部１２は、固定部１１の凸部１６による負荷がクリアされ、この状態で固定部１１の外周面が釦頭部１２の内周面に密着し、固定部１１の外端面が釦頭部１２の内端面に密着して、固定部１１に嵌着される。この状態では、釦頭部１２が固定部１１から抜け出すことがなく、釦頭部１２が固定部１１に固定される。また、この状態では、操作軸１０に接触することなく、操作軸１０に対して取り付けられている。
【００４２】
この操作部７を腕時計ケース１の貫通孔８に取り付ける際には、まず、操作軸１０の外周にばね部１３を配置する。この状態で、操作軸１０を腕時計ケース１の貫通孔８の小径孔部８ａに腕時計ケース１の外部から挿入する。このときには、ばね部１３の一端部が貫通孔８の中径孔部８ｂに挿入され、ばね部１３の他端部が固定部１１の孔部１１ａに挿入される。
【００４３】
そして、操作軸１０を腕時計ケース１の内部に突出させる。この状態で、操作軸１０の内端部に設けられた取付溝１０ａに抜止め部材１４を取り付ける。すると、ばね部１３は、そのばね力によって操作軸１０を腕時計ケース１の外部に向けて押し出すので、抜止め部材１４が腕時計ケース１の内面に弾力的に押し当てられる。また、このときには、釦頭部１２がばね部１３のばね力によって操作軸１０と共に腕時計ケース１の外部に向けて押し出される。これにより、スイッチ装置６が組み立てられる。
【００４４】
次に、このスイッチ装置を操作する場合について説明する。
このスイッチ装置６は、通常の状態のときに、ばね部１３のばね力によって操作軸１０が腕時計ケース１の外部に向けて押し出されて、抜止め部材１４が腕時計ケース１の内面に押し当てられている。これにより、腕時計ケース１の内部に位置する操作軸１０の内端部が時計モジュール５のスイッチ部５ａから離れ、スイッチ部５ａがオフ状態になっている。
【００４５】
この状態で、ばね部１３のばね力に抗して釦頭部１２を腕時計ケース１に向けて押すと、ばね部１３が圧縮しながら操作軸１０が腕時計ケース１の内部に向けてスライドする。これにより、操作軸１０の内端部が腕時計ケース１の内部に突出し、この突出した操作軸１０の内端部が時計モジュール５のスイッチ部５ａを押圧してスイッチ動作させる。
【００４６】
このように、この腕時計のスイッチ装置６によれば、腕時計ケース１の貫通孔８にスライド可能に取り付けられる金属製の操作軸１０と、この操作軸１０の外端部に固着された硬質の合成樹脂製の固定部１１と、この固定部１１が嵌め込まれて操作軸１０に対して非接触状態で固定され、かつ操作軸１０と異なる金属で形成された釦頭部１２と、を備えていることにより、簡単な構造で、電位差腐食を防ぐことができる。また、固定部１１により、釦頭部１２に外部からの衝撃があっても操作軸１０の破損を防ぐことができる。
【００４７】
すなわち、この腕時計のスイッチ装置６では、操作軸１０の外端部に硬質の合成樹脂製の固定部１１を固着し、この固定部１１を釦頭部１２の内部に嵌め込んだ構造であるから、構造が簡単で、容易に組み立てることができる。この場合、固定部１１は、操作軸１０の外端部にインサート成型によって簡単にかつ容易に形成することができるので、固定部１１を操作軸１０に確実に固着させることができる。
【００４８】
また、この腕時計のスイッチ装置６では、操作軸１０の外端部に固着された硬質の合成樹脂製の固定部１１が釦頭部１２の内部に嵌め込まれているので、操作軸１０と釦頭部１２とが相互に接触することがない。このため、操作軸１０と釦頭部１２とが異なる金属で形成されていても、操作軸１０と釦頭部１２との電気的接触状態によって生じる電池作用による電位差腐食を確実にかつ良好に防ぐことができる。
【００４９】
この場合、操作軸１０の金属と釦頭部１２の金属とは、電気的接触状態における電位差つまりイオン化傾向が異なることにより、操作軸１０と釦頭部１２との電気的接触状態によって生じる電池作用により電位差腐食を起こすが、操作軸１０と釦頭部１２とが相互に接触することがないため、操作軸１０と釦頭部１２との電気的接触状態によって生じる電池作用による電位差腐食を起こすことがない。
【００５０】
すなわち、操作軸１０は、イオン化傾向の低い金属、例えばステンレスや炭素鋼などの金属で形成され、釦頭部１２は、イオン化傾向の高い金属、例えばアルミニウム合金を含むアルミニウム系の金属、マグネシウム合金をマグネシウム系の金属、銅合金を含む銅系の金属などの非鉄金属で形成されていても、操作軸１０と釦頭部１２とが相互に接触することがないため、操作軸１０と釦頭部１２との電気的接触状態によって生じる電池作用による電位差腐食を起こすことはない。
【００５１】
この場合、釦頭部１２は、着色性の高い非鉄金属、例えばアルミニウムであることにより、カラー化を図ることができ、デザイン性を高めことができる。すなわち、釦頭部１２をアルミニウムで形成した場合には、表面をアルマイト処理することができ、このアルマイト処理によって表面に硬質の酸化被膜が形成されるので、この酸化被膜を染料によって着色することができる。
【００５２】
このため、この釦頭部１２では、カラー展開（カラー化）を容易に図ることができるので、色のバリエーションが豊富で、高級感が得られ、かつデザイン性を高めることができるほか、アルミニウムであることにより、固定部１１に対する密着強度に優れ、かつ表面硬度も高く、低コスト化を図ることができる。
【００５３】
また、このスイッチ装置６では、固定部１１の外周に設けられた凸部１６と、釦頭部１２の内周面に設けられて凸部１６が係合する凹部１７と、を備えていることにより、固定部１１を釦頭部１２の内部に嵌め込んだ際に、釦頭部１２の内周面の凹部１７に固定部１１の凸部１６を係合させることができ、これにより釦頭部１２が固定部１１から抜け出さないように、釦頭部１２が固定部１１に確実にかつ強固に固定させることができる。
【００５４】
この場合、釦頭部１２は、その内部に固定部１１を嵌め込む際に、固定部１１の凸部１６が釦突部１２の内周面に圧接しながら挿入されるが、釦頭部１２の内周面の凹部１７に固定部１１の凸部１６が係合した際に、釦突部１２の内周面に対する固定部１１の凸部１６の圧接力を解除させることができるので、固定部１１の凸部１６による負荷が釦頭部１２に加わらないようにすることができる。
【００５５】
また、この釦頭部１２は、その内部に固定部１１が嵌め込まれた際に、固定部１１の外周面を釦頭部１２の内周面に密着させることができると共に、固定部１１の外端面を釦頭部１２の内端面に密着させることができるので、釦頭部１２を固定部１１に確実にかつ良好に嵌着させて固定することができる。
【００５６】
なお、この発明は、上述した実施形態に限らず、例えば図５（ａ）および図５（ｂ）に示す第１変形例のように、固定部１１の外端面に複数の突起部２０を設けた構造であっても良い。すなわち、これら複数の突起部２０は、円錐、角錐などの突起であり、固定部１１の外端面の中心部を中心とする同心円上に配列されている。
【００５７】
また、これら複数の突起部２０は、固定部１１が釦頭部１２の内部に嵌め込まれた際に、釦頭部１２の内端面に押し当てられて、複数の突起部２０の各先端部が潰れるように構成されている。このため、釦頭部１２は、複数の突起部２０の各先端部が潰れる事を考慮して、釦頭部１２の内部における軸方向の長さが固定部１１の内端面から複数の突起部２０の各先端部までの長さよりも、少し短く形成されていることが望ましい。
【００５８】
このように、固定部１１の外端面に複数の突起部２０を設けた構造であれば、製作時における寸法公差のバラつきによって、固定部１１と釦頭部１２との間に隙間やガタ付きが生じても、複数の突起部２０が釦頭部１２の内端面に押し当てられて、複数の突起部２０の各先端部が潰れることにより、固定部１１と釦頭部１２との隙間やガタ付きによる影響を抑えることができると共に、複数の突起部２０によって外部からの衝撃を緩衝することができる。
【００５９】
また、この発明は、上述した実施形態および第１変形例に限らず、例えば図６に示す第２変形例のように、釦頭部１２の内端部に接着剤２１を溜める接着剤溜り部２２を設けた構造であっても良い。すなわち、この釦頭部１２は、接着剤溜り部２２に接着剤２１を充填させ、この状態、固定部１１を釦頭部１２の内部に嵌め込むことにより、接着剤２１によって固定部１１に接着固定される構造になっている。
【００６０】
このような構造では、釦頭部１２の接着剤溜り部２２に充填された接着剤２１によって釦頭部１２を固定部１１に接着することができるので、より一層、釦頭部１２を固定部１１に強固に固定することができる。また、このような構造では、固定部１１を釦頭部１２の内部に嵌め込む際に、接着剤溜り部２２に充填された接着剤２１が釦頭部１２の外部にはみ出すことがないので、釦頭部１２を固定部１１に良好に固定することができる。
【００６１】
この場合、接着剤２１が硬化した際にクッション性を有する接着剤を用いれば、固定部１１と釦頭部１２とのガタ付きを防ぐことができると共に、釦頭部１２が外部からの衝撃を受けた際に、その衝撃を良好に緩衝することができる。
【００６２】
また、上述した実施形態および第１、第２変形例では、固定部１１の外周面に凸部１６を設け、釦頭部１２の内周面に凹部１７を設けた場合について述べたが、この発明はこれに限らず、例えば固定部１１の外周面に凹部を設け、釦頭部１２の内周面に凸部を設け、固定部１１の凹部に釦頭部１２の凸部を係合させる構造であっても良い。
【００６３】
さらに、上述した実施形態および第１、第２変形例では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯端末機などの電子機器にも適用することができる。
【００６４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６５】
（付記）
請求項１に記載の発明は、ケースの貫通孔にスライド可能に取り付けられる金属製の操作軸と、前記ケースの外部に位置する前記操作軸の外端部に固着された硬質の合成樹脂製の固定部と、前記固定部が嵌め込まれて前記操作軸に対して非接触状態で固定され、かつ前記操作軸と異なる金属で形成された釦頭部と、を備えていることを特徴とするスイッチ装置である。
【００６６】
請求項２に記載の発明は、請求項１に記載のスイッチ装置において、前記操作軸の金属と前記釦頭部の金属とは、電位が異なることを特徴とするスイッチ装置である。
【００６７】
請求項３に記載の発明は、請求項１または請求項２に記載のスイッチ装置において、前記釦頭部は、着色性の高い非鉄金属であることを特徴とするスイッチ装置である。
【００６８】
請求項４に記載の発明は、請求項１〜請求項３のいずれかに記載のスイッチ装置において、前記固定部の外周と前記釦頭部の内周面との一方に設けられた凸部と、前記固定部の外周と前記釦頭部の内周面との他方に設けられて前記凸部が係合する凹部と、を備えていることを特徴とするスイッチ装置である。
【００６９】
請求項５に記載の発明は、請求項１〜請求項４のいずれかに記載のスイッチ装置において、前記固定部の外端面には、前記釦頭部の内端面に圧接する複数の突起部が設けられていることを特徴とするスイッチ装置である。
【００７０】
請求項６に記載の発明は、請求項１〜請求項５のいずれかに記載されたスイッチ装置を備えていることを特徴とする時計である。
【符号の説明】
【００７１】
１  腕時計ケース
５  時計モジュール
５ａ  スイッチ部
６  スイッチ装置
７  操作部
８  貫通孔
８ａ  小径孔部
８ｂ  中径孔部
８ｃ  大径孔部
１０  操作軸
１０ａ  取付溝
１０ｂ  鍔部
１１  固定部
１１ａ  孔部
１２  釦頭部
１３  ばね部
１４  抜止め部材
１５  防水リング
１６  凸部
１７  凹部
１８  装飾部
２０  突起部
２１  接着剤
２２  接着剤溜り部
【図１】
2019057467.tif 000003
【図２】
2019057467.tif 000004
【図３】
2019057467.tif 000005
【図４】
2019057467.tif 000006
【図５】
2019057467.tif 000007
【図６】
2019057467.tif 000008